(57)【要約】【課題】遊技盤に設けられたブラケット部が有するピン部から当該遊技盤にかかる偏荷重を抑制し、かつ当該ブラケット部を遊技盤に確実に固定することである。【解決手段】遊技盤１００の所定位置に貫通孔１０３ａ，１０３ｂが形成されている。ブラケット部１１０は、遊技盤１００の一方の面側に取り付けられるブラケット１１１と、遊技盤１００の他方の面側に取り付けられるブラケット１１２と、貫通孔１０３ａ，１０３ｂに挿通される軸部１１３，１１４とを有する。ブラケット１１１には本体枠によって支持されるピン部１１７が形成されている。ブラケット１１１とブラケット１１２とは、遊技盤１００を挟み込むように取り付けられ、貫通孔１０３ａ，１０３ｂに挿通された軸部１１３，１１４のネジ部１１３ａ，１１４ａに圧接部材１１６ａ，１１６ｂが螺合することで固定される。【選択図】        図１２
2006204685.tif 000002
【特許請求の範囲】
【請求項１】
遊技盤と、該遊技盤が取り付けられる本体枠と、前記遊技盤に設けられ前記本体枠によって支持されるピン部を有するブラケット部と、を備える遊技機であって、
前記遊技盤は、所定の位置に貫通孔が形成され、
前記ブラケット部は、
前記遊技盤の一方の面側に取り付けられる第１のブラケットと、
前記遊技盤の他方の面側に取り付けられる第２のブラケットと、
前記遊技盤の貫通孔に挿通される軸部と、を有し、
前記第１のブラケットと前記第２のブラケットとは、前記遊技盤を挟み込むように取り付けられ前記貫通孔に挿通された前記軸部を介して固定される
ことを特徴とする遊技機。
【請求項２】
前記軸部の一端部はネジ部を有し、
前記第１のブラケットまたは前記第２のブラケットは前記軸部の他端部が固着されているとともに、他方のブラケットは前記一端部が挿通される挿通孔が形成され、
さらに、前記遊技盤の貫通孔および前記他方のブラケットの挿通孔に挿通された前記軸部のネジ部に螺合し、前記他方のブラケットに圧接する圧接部材を備えた
ことを特徴とする請求項１記載の遊技機。
【請求項３】
前記第１のブラケットおよび前記第２のブラケットのうち前記軸部の他端部が固着されるブラケットは、前記軸部の径よりも小径の孔が形成され、前記軸部の他端部が当該孔に圧入され固定されている
ことを特徴とする請求項２記載の遊技機。
【請求項４】
前記軸部は、一端部がネジ部を有するとともに他端部はブラケットに圧接する圧接部を有し、
前記第１のブラケットと前記第２のブラケットとが一体に形成され、当該一体に形成された第１のブラケットおよび第２のブラケットは、前記軸部を挿通する挿通孔が形成されているとともに、当該第１のブラケットまたは当該第２のブラケットは、前記挿通孔に対応する部位に前記軸部のネジ部に螺合する螺合部が形成されている
ことを特徴とする請求項１記載の遊技機。
【請求項５】
前記遊技盤は、前記ブラケット部を収容し、位置ズレを防止するブラケット収容凹部が形成されている
ことを特徴とする請求項１〜４の何れか一項に記載の遊技機。
【請求項６】
前記遊技盤は所定の距離離間して複数の前記貫通孔が形成され、前記ブラケット部は当該貫通孔の数に応じた複数の前記軸部を有する
ことを特徴とする請求項１〜５の何れか一項に記載の遊技機。
【発明の詳細な説明】
【技術分野】
【０００１】
本発明は、遊技機に関し、特に遊技盤と本体枠との取付構造に関するものである。
【背景技術】
【０００２】
遊技機、特にパチンコ遊技機においては、パチンコ遊技の興趣を高め、遊技者を飽きさせないように各種の役物や表示装置などに工夫を凝らした遊技盤が使用されている。そして、遊技盤を新規なものに容易に入れ替えできるように、遊技盤を本体枠に対して着脱可能にしたものが多用されている。このようなパチンコ遊技機は、本体枠の前面に遊技盤を取り付けるようになっており、本体枠の裏面側に、遊技動作の制御を行う制御板などが設置されている。
【０００３】
また、従来のパチンコ遊技機では、遊技盤を本体枠に取り付けるために、ピン状に突出した部分（ピン部）を遊技盤の側方に延出させて、ヒンジ軸、あるいは固定軸として用いている。
【０００４】
例えば、遊技盤へのピン部の取付構造として、ピン部（ヒンジピン）が形成された樹脂製部品（ブラケット）を、その樹脂製部品の片面側のみから遊技盤に螺子等で固定したものがある。なお、遊技盤にヒンジピンを設けた構造を有する遊技機としては、例えば特許文献１に記載された遊技機が知られている。
【特許文献１】特開２００１−３２１５２８号公報
【発明の開示】
【発明が解決しようとする課題】
【０００５】
しかしながら、上記従来の技術では、ピン部を有する樹脂製部品がその片面側のみから遊技盤に固定されているため、ピン部から螺子で樹脂製部品が固定されている部位（遊技盤の部位）へ偏荷重がかかり、この偏荷重によって遊技盤が破損し易くなるという問題があった。
【０００６】
また、上述したようにピン部を有する樹脂製部品がその片面側のみから遊技盤に固定されているため、当該樹脂製部品の遊技盤への固定は、不安定で、強固な固定とは言えず、確実性に欠けていた。
【０００７】
そこで、本発明は、遊技盤に設けられたブラケット部が有するピン部から当該遊技盤にかかる偏荷重を抑制し、かつ当該ブラケット部を遊技盤に確実に固定することのできる遊技機を提供することを目的とする。
【課題を解決するための手段】
【０００８】
上記課題を解決するため、請求項１に記載の本発明の遊技機は、遊技盤と、該遊技盤が取り付けられる本体枠と、前記遊技盤に設けられ前記本体枠によって支持されるピン部を有するブラケット部と、を備える遊技機であって、前記遊技盤は、所定の位置に貫通孔が形成され、前記ブラケット部は、前記遊技盤の一方の面側に取り付けられる第１のブラケットと、前記遊技盤の他方の面側に取り付けられる第２のブラケットと、前記遊技盤の貫通孔に挿通される軸部と、を有し、前記第１のブラケットと前記第２のブラケットとは、前記遊技盤を挟み込むように取り付けられ前記貫通孔に挿通された前記軸部を介して固定されることを特徴とする。
【０００９】
このように、第１のブラケットと第２のブラケットとを、遊技盤を挟み込むように、当該遊技盤に形成された貫通孔に挿通された軸部を介して固定するようにしているので、ピン部を有するブラケット部が設けられた遊技盤においては、ピン部にかかる荷重は、軸部を介して第１のブラケットおよび第２のブラケットに伝達され、当該遊技盤の両面（一方の面および他方の面）に分散して均等にかかるため、遊技盤の片面のみにかかる偏荷重を抑制することが可能になる。また、軸部を遊技盤に形成された貫通孔に挿通し、この軸部を介して第１のブラケットおよび第２のブラケットを固定するようにしているので、ブラケット部の位置ズレを防止することができるとともに、ブラケット部を遊技盤に確実に固定することが可能になる。
【００１０】
請求項２に記載の本発明は、請求項１に記載の発明の構成に加えて、前記軸部の一端部はネジ部を有し、前記第１のブラケットまたは前記第２のブラケットは前記軸部の他端部が固着されているとともに、他方のブラケットは前記一端部が挿通される挿通孔が形成され、さらに、前記遊技盤の貫通孔および前記他方のブラケットの挿通孔に挿通された前記軸部のネジ部に螺合し、前記他方のブラケットに圧接する圧接部材を備えたことを特徴とする。
【００１１】
このように、遊技盤に形成された貫通孔および一方のブラケットに形成された挿通孔に、他方のブラケットに固着された軸部を挿通し、この軸部のネジ部に圧接部材（ナット）を取り付けてブラケット部を遊技盤に固定するようにしているので、軸部を貫通孔および挿通孔に挿通し、これのネジ部に圧接部材を取り付けるだけで、ブラケット部の遊技盤への取り付け作業を容易に実施することが可能になる。
【００１２】
請求項３に記載の本発明は、請求項２に記載の発明の構成に加えて、前記第１のブラケットおよび前記第２のブラケットのうち前記軸部の他端部が固着されるブラケットは、前記軸部の径よりも小径の孔が形成され、前記軸部の他端部が当該孔に圧入され固定されていることを特徴とする。
【００１３】
このように、軸部の他端部は、その他端部が固着されるブラケットに形成された孔に圧入されて固定されるようにしているので、ブラケット部を遊技盤に固定するための固定部の不必要な突出箇所を抑制することが可能になる。
【００１４】
請求項４に記載の本発明は、請求項１に記載の発明の構成に加えて、前記軸部は、一端部がネジ部を有するとともに他端部はブラケットに圧接する圧接部を有し、前記第１のブラケットと前記第２のブラケットとが一体に形成され、当該一体に形成された第１のブラケットおよび第２のブラケットは、前記軸部を挿通する挿通孔が形成されているとともに、当該第１のブラケットまたは当該第２のブラケットは、前記挿通孔に対応する部位に前記軸部のネジ部に螺合する螺合部が形成されていることを特徴とする。
【００１５】
このように、第１のブラケットおよび第２のブラケットが一体に形成されたブラケット部を遊技盤に装着し、第１および第２のブラケットに形成されている挿通孔および遊技盤に形成されている貫通孔に軸部を挿通し、この軸部のネジ部を螺合部（ナット）に螺合することにより、ブラケット部を遊技盤に固定するようにしているので、一体に形成されたブラケット部を遊技盤に装着し、その螺合部に軸部のネジを螺合するだけで、ブラケット部の遊技盤への取り付け作業を容易に実施することが可能になる。
【００１６】
請求項５に記載の本発明は、請求項１〜４の何れか一項に記載の発明の構成に加えて、前記遊技盤は、前記ブラケット部を収容し、位置ズレを防止するブラケット収容凹部が形成されていることを特徴とする。
【００１７】
このように、ブラケット収容凹部にブラケット部が収容されるようにしているので、より一層、ブラケット部の位置ズレを防止することが可能になる。
【００１８】
請求項６に記載の本発明は、請求項１〜５の何れか一項に記載の発明の構成に加えて、前記遊技盤は所定の距離離間して複数の前記貫通孔が形成され、前記ブラケット部は当該貫通孔の数に応じた複数の前記軸部を有することを特徴とする。
【００１９】
このように、複数の固定位置でブラケット部が遊技盤に固定されるようにしているので、ブラケット部の回転方向の位置ズレを防止することが可能になる。
【発明の効果】
【００２０】
本発明によれば以下の効果を奏することができる。
【００２１】
すなわち、本発明によれば、第１のブラケットと第２のブラケットとを、遊技盤を挟み込むように、当該遊技盤に形成された貫通孔に挿通された軸部を介して固定するようにしているので、ピン部を有するブラケット部が設けられた遊技盤においては、ピン部にかかる荷重は、軸部を介して第１のブラケットおよび第２のブラケットに伝達され、当該遊技盤の両面（一方の面および他方の面）に分散して均等にかかるため、遊技盤の片面のみにかかる偏荷重を抑制することができ、遊技盤に設けられたブラケット部が有するピン部から当該遊技盤にかかる偏荷重を抑制することが可能になる。
【００２２】
また、本発明によれば、軸部を遊技盤に形成された貫通孔に挿通し、この軸部を介して第１のブラケットおよび第２のブラケットを固定するようにしているので、ブラケット部の位置ズレを防止することができるとともに、ブラケット部を遊技盤に確実に固定することが可能になる。
【発明を実施するための最良の形態】
【００２３】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２４】
図１は本発明の一実施の形態である遊技機を示す斜視図、図２は本実施の形態に係る遊技盤を示す正面図、図３は図２に示した遊技盤を示す斜視図、図４は図１に示した遊技機における係合部の取付状態を示す図、図５は本体枠の上部左側に取り付けられる係合部の取付状態を示す斜視図、図６は本体枠の下部左側に取り付けられる係合部の取付状態を示す斜視図、図７は本体枠の上部右側に取り付けられる係合部の取付状態を示す斜視図、図８は本体枠の下部右側に取り付けられる係合部の取付状態を示す斜視図、図９は遊技盤の左上隅に取り付けられるブラケット部の一例を説明する斜視図、図１０は遊技盤の左上隅に取り付けられるブラケット部の一例を説明する斜視図、図１１は遊技盤の左上隅に取り付けられるブラケット部の一例を説明する斜視図、図１２は遊技盤の左上隅に取り付けられるブラケット部の他の例を説明する斜視図、図１３は遊技盤の左下隅に取り付けられるブラケット部の一例を説明する斜視図、図１４は遊技盤の左下隅に取り付けられるブラケット部の一例を説明する斜視図、図１５は遊技盤の左下隅に取り付けられるブラケット部の一例を説明する斜視図、図１６は遊技盤の左下隅に取り付けられるブラケット部の他の例説明する斜視図、図１７は本実施の形態に関わるブラケット部の更に他の例を示す斜視図、図１８は本実施の形態に関わるブラケット部の更に他の例を示す斜視図、図１９は本実施の形態に関わるブラケット部の更に他の例を示す斜視図、図２０は本実施の形態に関わるブラケット部の更に他の例を示す斜視図、図２１は本実施の形態に関わる遊技盤の係合部を示す斜視図、図２２は本実施の形態に関わる本体枠の係合部の詳細な構成を説明する斜視図、図２３は本実施の形態に関わる本体枠の係合部を説明する斜視図、図２４は本実施の形態に関わる本体枠の係合部のベース部を説明する斜視図、図２５は退避状態の係合部の正面を示す斜視図、図２６は退避状態の係合部の背面を示す斜視図、図２７は退避状態の係合部の上面を示す上面図、図２８は本実施の形態に関わる本体枠の係合部を説明する斜視図である。
【００２５】
図１に示すように、パチンコ遊技機（遊技機）１は、遊技盤１００（図２参照）が装着された本体枠３ａがヒンジを介して島設備に固定される木枠３ｂに回動可能に取り付けられ（すなわち、本体枠３ａは、本体枠３ａの一方端を回動支点として支持されて当該木枠３ｂに開閉可能に取り付けられる。）、これら本体枠３ａおよび木枠３ｂで遊技機本体３が構成されている。そして、このような遊技機本体３に対して、遊技盤１００を視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００２６】
遊技盤１００は、図２に示すように、レール６に包囲され、遊技球の流下が可能な遊技領域２０を有している。そして、その遊技領域２０には、多数の遊技くぎや風車などの障害物（図示せず）、一般入賞口１２、通過ゲート１３、可変入賞装置である大入賞口１５、アウト口１６、始動入賞口１４，１７を有する電動役物構成部材１８からなる遊技部材が配置されている。
【００２７】
遊技盤１００の背面には、演出画像（例えば、遊技状態に対応したアニメーションやその他の報知情報など。）等を表示可能な表示領域２１ａを備えた表示装置である液晶表示装置（ＬＣＤ）２１が配置されている。
【００２８】
遊技盤１００が透明である本実施の形態では、液晶表示装置２１の表示領域２１ａが遊技盤１００を通して視認可能に配置されている。また、液晶表示装置２１にかえて、例えばＣＲＴ（陰極線管）あるいはプラズマディスプレイ等を用いることもできる。
【００２９】
上述したような遊技盤１００の下方には、図１に示すように、皿ユニット５が配置されている。皿ユニット５の上部に、払い出された遊技球および遊技領域に打ち込まれる遊技球が貯留される上皿５ａが配置されているとともに、皿ユニット５の下部に、払い出しにより上皿５ａからオーバーフローした遊技球が貯留される下皿５ｂが配置されている。また、上皿５ａの所定の位置に、遊技終了時などにおいて上皿５ａに貯留された遊技球を下皿５ｂに移動させて取り出す場合に操作されるシャッタレバー１０とが設けられている。
【００３０】
皿ユニット５の右側には、レール６を介して遊技盤１００の遊技領域へ遊技球を打ち込む際に回動操作されるハンドル７が設けられている。ハンドル７には遊技球の発射を停止させるストップボタン（図示せず）が設けられている。
【００３１】
なお、ガラス扉４の上部の左右に設けられた部位８ａ，８ｂは、後述する本体枠３ａに設けられているスピーカ９ａ，９ｂにそれぞれ対応して、スピーカからの音声が聞こえるような構造になっている。
【００３２】
ここで、図２および図３に示すように四角形の遊技盤１００には、その４ヶ所の隅部に、本体枠３ａに設けられた４ヶ所の係合部のそれぞれと係合する係合部（ブラケット部）１１０，１２０、および係合部１３０，１４０が設けられている。これらの係合部の詳細については後述する。
【００３３】
図４に示すように、本体枠３ａには、遊技盤１００を固定するための予め決められた４ヶ所の部位に、遊技盤１００のブラケット部１１０，１２０、および係合部１３０，１４０のそれぞれと係合する係合部２１０，２２０，２３０，２４０が設けられている。
【００３４】
係合部２１０は、図５に示すように、遊技盤１００の係合部１１０を受け入れる係止部と、この係止部に対し直角（略直角）をなして形成され、本体枠３ａに固定される取付部とを有している。この係合部２１０は、前記係止部と前記取付部とでＬ字型の形状を有している。
【００３５】
係合部２２０は、図６に示すように、上記係合部２１０と同様に、遊技盤１００の係合部１２０を受け入れる係止部と、この係止部に対し直角（略直角）をなして形成され、本体枠３ａに固定される取付部とを有している。この係合部２２０も、前記係止部と前記取付部とでＬ字型の形状を有している。
【００３６】
係合部２３０，２４０は、遊技盤１００の係合部１３０，１４０を圧接支持するものであり、図７および図８に示すように、本体枠３ａとの間で遊技盤１００を圧接支持する圧接部を有し、該圧接部が遊技盤１００を圧接支持する支持位置と遊技盤を取り外し可能にする退避位置とに移動する可動部材と、本体枠３ａに取り付けられ、可動部材を前記支持位置と前記退避位置との間で摺動可能に支持するベース部と、を有している。これら係合部２３０，２４０の詳細については後述する。
【００３７】
次に、本体枠３ａの係合部２１０および係合部２２０に係合する遊技盤１００のブラケット部１１０およびブラケット部１２０の構成（構造）について説明する。
【００３８】
最初に、遊技盤１００の左上の隅に設けられるブラケット部１１０の構成（構造）について、図９〜図１２を参照して説明する。
【００３９】
図９に示すように、遊技盤１００には、左上隅の所定の位置に、所定の距離離間して２つの貫通孔１０３ａ，１０３ｂが形成されているとともに、後述するブラケット部１１０特にブラケット１１２を収容し、位置ズレを防止するブラケット収容凹部１０４が形成されている。ブラケット収容凹部１０４は、後述するブラケット１１２の少なくとも一部の部位と嵌合するような凹部の形状を有している。
【００４０】
ブラケット部１１０は、図９に示すように、大別して、遊技盤１００の表面１０１側（一方の面側）に取り付けられるブラケット（第１のブラケット）１１１と、遊技盤１００の裏面１０２側（他方の面側）に取り付けられるブラケット（第２のブラケット）１１２と、遊技盤１００の貫通孔１０３ａ，１０３ｂに挿通されネジ部１１３ａ，１１４ａを有する軸部１１３，１１４と、軸部１１３，１１４のネジ部１１３ａ，１１４ａに螺合する圧接部材（ナット）１１６ａ，１１６ｂとを有している。
【００４１】
図９〜図１１に示すように、ブラケット１１１は、遊技盤１００の表面１０１、上端面１０５の２面に接する形状を有している。上端面１０５に接する部位１１１ａには、本体枠３ａに設けられた係合部２１０によって支持されるピン部１１７が形成されている。表面１０１に接する部位１１１ｂには、遊技盤１００の２つの貫通孔１０３ａ，１０３ｂに対応する位置に、一端部がネジ部１１３ａ，１１４ａを有する軸部１１３，１１４の他端部が固着されている。
【００４２】
ブラケット１１２には、ブラケット１１１に固着されている軸部１１３，１１４の一端部つまりネジ部１１３ａ，１１４ａが挿通される挿通孔１１５ａ，１１５ｂが形成されている。
【００４３】
上述した構成のブラケット部１１０の遊技盤１００への取り付けは、例えば、ブラケット１１１の軸部１１３，１１４をそれぞれ遊技盤１００の貫通孔１０３ａ，１０３ｂに挿通し、このブラケット１１１の部位１１１ｂを遊技盤１００の表面１０１に接するようにする。
【００４４】
その後、これらの軸部１１３，１１４に、ブラケット１１２の挿通孔１１５ａ，１１５ｂを挿通させ、このブラケット１１２が遊技盤１００のブラケット収容凹部１０４に嵌合するようにする。
【００４５】
最後に、圧接部材（ナット）１１６ａ，１１６ｂを、遊技盤１００の貫通孔１０３ａ，１０３ｂおよびブラケット１１２の挿通孔１１５ａ，１１５ｂに挿通された軸部１１３，１１４のネジ部１１３ａ，１１４ａに螺合し、ブラケット１１２に圧接する。
【００４６】
以上により、ブラケット部１１０においては、ブラケット１１１とブラケット１１２とは、遊技盤１００を挟み込むように取り付けられ、この遊技盤１００の貫通孔１０３ａ，１０３ｂに挿通されたブラケット１１１の軸部１１３，１１４を介して固定されることになる。
【００４７】
このようにしてブラケット部１１０が遊技盤１００に取り付けられた状態において、遊技盤１００の裏面１０２側から見た様子を図１０に示し、遊技盤１００の表面１０１側から見た様子を図１１に示す。
【００４８】
以上説明したように、本実施の形態では、ブラケット１１１とブラケット１１２とを、遊技盤１００を挟み込むように、当該遊技盤１００に形成された貫通孔１０３ａ，１０３ｂに挿通された軸部１１３，１１４を介して固定するようにしているので、ピン部１１７を有するブラケット部１１０が設けられた遊技盤１００においては、ピン部１１７にかかる荷重は、軸部１１３，１１４を介してブラケット１１１およびブラケット１１２に伝達され、当該遊技盤１００の表面１０１および裏面１０２（一方の面および他方の面）に分散して均等にかかるため、遊技盤１００の片面のみにかかる偏荷重を抑制することができる。
【００４９】
この実施の形態では、軸部１１３，１１４を遊技盤１００に形成された貫通孔１０３ａ，１０３ｂに挿通し、この軸部１１３，１１４を介してブラケット１１１およびブラケット１１２を固定するようにしているので、ブラケット部１１０の位置ズレを防止することができるとともに、ブラケット部１１０を遊技盤１００に確実に固定することができる。
【００５０】
この実施の形態では、遊技盤１００に形成されたブラケット収容凹部１０４にブラケット部１１０（特に、ブラケット１１２）が収容されるようにしているので、より一層、ブラケット部の位置ズレを防止することが可能になる。
【００５１】
これに加えて、複数の貫通孔１０３ａ，１０３ｂに、これら貫通孔１０３ａ，１０３ｂの数に応じた複数の軸部１１３，１１４を挿通させるとともに、これら軸部１１３，１１４のネジ部１１３ａ，１１４ａに圧接部材（ナット）１１６ａ，１１６ｂを螺合させるようにしているので、ブラケット部１１０の回転方向の位置ズレを防止することができる。
【００５２】
また、この実施の形態では、遊技盤１００に形成された貫通孔１０３ａ，１０３ｂおよび一方のブラケット１１２に形成された挿通孔１１５ａ，１１５ｂに、他方のブラケット１１１に固着された軸部１１３，１１４を挿通し、この軸部１１３，１１４のネジ部１１３ａ，１１４ａに圧接部材（ナット）１１６ａ，１１６ｂを取り付けてブラケット部１１０を遊技盤１００に固定するようにしているので、軸部１１３，１１４を貫通孔１０３ａ，１０３ｂおよび挿通孔１１５ａ，１１５ｂに挿通し、軸部１１３，１１４のネジ部１１３ａ，１１４ａに圧接部材１１６ａ，１１６ｂを取り付けるだけで、ブラケット部１１０を遊技盤１００に固定することができ、ブラケット部１１０の遊技盤１００への取り付け作業を容易に実施することが可能になる。
【００５３】
次に、上述したブラケット部１１０のブラケット１１１において、軸部１１３，１１４の部位１１１ｂへの固着、およびピン部１１７の部位１１１ａへの固着について、図１２を参照して説明する。
【００５４】
図１２に示すように、軸部１１３，１１４の他端部が固着されるブラケット１１１においては、その部位１１１ｂに、軸部１１３，１１４の径Ｄ１よりも小径の径ｄ１を有する孔１１８ａ，１１８ｂが形成されている。
【００５５】
一方、軸部１１３の他端部は、その軸部の径Ｄ１より小径でかつ孔１１８ａの径ｄ１よりも大径であり、しかも孔１１８ａに圧入可能な径Ｄ２を有する軸部１１３ｂが形成されている。同様に、軸部１１４の他端部にも、径Ｄ２を有する軸部１１４ｂが形成されている。
【００５６】
ここで、径Ｄ１＞径Ｄ２＞径ｄ１の関係が成立している。
【００５７】
そして、軸部１１３の軸部１１３ｂおよび軸部１１４の軸部１１４ｂを、孔１１８ａおよび孔１１８ｂに圧入することで、当該軸部１１３，１１４はブラケット１１１（の部位１１１ｂ）に固定される。
【００５８】
このように軸部１１３、１１４の他端部は、その他端部が固着されるブラケット１１１に形成された孔１１８ａ，１１８ｂに圧入されて固定されるようにしているので、ブラケット部１１０を遊技盤１００に固定するための固定部の不必要な突出箇所を抑制することが可能になる。
【００５９】
ピン部１１７が固着されるブラケット１１１の部位１１１ａには、ピン部１１７の径Ｄ３よりも小径の径ｄ２を有する孔１１９が形成されている。一方、ピン部１１７は、そのピン部の径Ｄ３より小径でかつ孔１１９の径ｄ２よりも大径であり、しかも孔１１９に圧入可能な径Ｄ４を有する軸部１１７ａが形成されている。
【００６０】
ここで、径Ｄ３＞径Ｄ４＞径ｄ２の関係が成立している。
【００６１】
そして、ピン部１１７の軸部１１７ａを、孔１１９に圧入することで、当該ピン部１１７はブラケット１１１（の部位１１１ａ）に固定される。
【００６２】
次に、遊技盤１００の左下の隅に設けられるブラケット部１２０の構成（構造）について、図１３〜図１５を参照して説明する。
【００６３】
このブラケット部１２０の構成（構造）は、基本的には上記ブラケット部１１０の構成（構造）と同様であり、ブラケット部１１０とは、本体枠３ａの係合部２２０に係合されるピン部が下方向に向いた状態で、遊技盤１００に取り付けられる点が相違している。
【００６４】
さて、図１３に示すように、遊技盤１００の左下の隅には、上述した２つの貫通孔１０３ａ，１０３ｂおよびブラケット収容凹部１０４が形成されている。
【００６５】
ブラケット部１２０は、基本的には、上述したブラケット部１１０と同様の構成（構造）になっており、図１３に示すように、大別して、遊技盤１００の表面１０１側（一方の面側）に取り付けられるブラケット（第１のブラケット）１２１と、遊技盤１００の裏面１０２側（他方の面側）に取り付けられるブラケット（第２のブラケット）１２２と、遊技盤１００の貫通孔１０３ａ，１０３ｂに挿通されネジ部１２３ａ，１２４ａを有する軸部１２３，１２４と、軸部１２３，１２４のネジ部１２３ａ，１２４ａに螺合する圧接部材１２６ａ，１２６ｂとを有している。
【００６６】
図１３〜図１５に示すように、ブラケット１２１は、遊技盤１００の表面１０１、下端面１０６の２面に接する形状を有している。下端面１０６に接する部位１２１ａには、本体枠３ａに設けられた係合部２２０によって支持されるピン部１２７が形成されている。表面１０１に接する部位１２１ｂには、遊技盤１００の２つの貫通孔１０３ａ，１０３ｂに対応する位置に、一端部がネジ部１２３ａ，１２４ａを有する軸部１２３，１２４の他端部が固着されている。
【００６７】
なお、ブラケット部１２０の他の構成要素、すなわちブラケット１２２、軸部１２３，１２４、および圧接部材１２６ａ，１２６ｂは、それぞれ上述したブラケット部１１０のブラケット１１２、軸部１１３，１１４、圧接部材１１６ａ，１１６ｂと同様の構造になっている。
【００６８】
かかる構成のブラケット部１２０のブラケット１２１において、軸部１２３，１２４の部位１２１ｂへの固着、およびピン部１２７の部位１２１ａへの固着は、上述したブラケット部１１０の場合と同様にして行われる。
【００６９】
すなわち、ブラケット１２１には、図１６に示すように、その部位１２１ｂに、軸部１２３，１２４の径Ｄ１よりも小径の径ｄ１を有する孔１２８ａ，１２８ｂが形成されている。一方、軸部１２３，１２４の他端部には、上述したブラケット部１１０の場合と同様に、それぞれ径Ｄ１＞径Ｄ２＞径ｄ１の関係を満足する径Ｄ２を有する軸部１２３ｂ，１２４ｂが形成されている。
【００７０】
そして、軸部１２３の軸部１２３ｂおよび軸部１２４の軸部１２４ｂを、孔１２８ａおよび孔１２８ｂに圧入することで、当該軸部１２３，１２４はブラケット１２１（の部位１２１ｂ）に固定される。
【００７１】
また、ピン部１２７には、そのピン部の径Ｄ３よりも小径の径Ｄ４を有する軸部１２７ａが形成されている。一方、ブラケット１２１の部位１２１ａには、上述したブラケット部１１０の場合と同様に、径Ｄ３＞径Ｄ４＞径ｄ２の関係を満足する径ｄ２を有する孔１２９が形成されている。
【００７２】
そして、ピン部１２７の軸部１２７ａを、孔１２９に圧入することで、当該ピン部１２７はブラケット１２１（の部位１２１ａ）に固定される。
【００７３】
上述した実施の形態では、ブラケット部１１０，１２０は、ブラケット１１１，１２１とブラケット１１２，１２２とが別体の構成とするようにしたが、本発明は、これに限定されることなく、ブラケット１１１，１２１とブラケット１１２，１２２とを一体化した構成としても良い。
【００７４】
すなわち、図１７に示すように、ブラケット部５００は、遊技盤１００の一方の面（例えば表面）に取り付けられる第１のブラケットと、遊技盤１００の他方の面（例えば裏面）に取り付けられる第２のブラケットとが一体に形成されたブラケット５１０と、一端部がネジ部５２１ａ，５２２ａを有するとともに他端部はブラケット５１０に圧接する圧接部５２１ｂ、５２２ｂを有する軸部５２１、５２２と、を備えている。
【００７５】
このブラケット５１０は、図１７および図１８に示すように、遊技盤１００の表面１０１に接する部位５１０ａ、裏面１０２に接する部位５１０ｂ、上端面１０５に接する部位５１０ｃ、および側端面１０７に接する部位５１０ｄが形成されている。
【００７６】
このようなブラケット５１０においては、図１７に示すように、その部位５１０ａに、軸部５２１，５２２が挿通される挿通孔５３１ａ，５３２ａが形成されているとともに、その部位５１０ｂに、軸部５２１，５２２が挿通される挿通孔５３１ｂ，５３２ｂが形成されている。
【００７７】
また、部位５１０ｂにおける挿通孔５３１ｂ，５３２ｂに対応する部位に、軸部５２１，５２２のネジ部５２１ａ，５２２ａに螺合する螺合部５４０が形成されている。なお、螺合部５４０は、各ネジ部５２１ａ，５２２ａに対応して２つの螺合部を別体で構成するようにしても良いし、当該２つの螺合部が一体化された構成としても良い。
【００７８】
また、ブラケット５１０の上端面５１０ｃには、本体枠３ａに設けられている係合部と係合するピン部５５０が設けられている。
【００７９】
上述した構成のブラケット部５００を、その開口部を介して遊技盤１００の左上の隅の部位に装着し、その後、軸部５２１，５２２を、挿通孔５３１ａ，５３２ａ、遊技盤１００の貫通孔１０３ａ、１０３ｂおよび挿通孔５３１ｂ，５３２ｂを介して螺合部５４０に螺合する。これにより、ブラケット部５００は遊技盤１００に固定される。
【００８０】
以上のように、本実施の形態では、第１のブラケットおよび第２のブラケットが一体に形成されたブラケット部５００を遊技盤１００に装着し、上述したようにして軸部５２１，５２２のネジ部５２１ａ，５２２ａを螺合部（ナット）５４０に螺合するだけで、ブラケット部５００の遊技盤１００への取り付け作業を容易に実施することが可能になる。
【００８１】
上述したブラケット部５００では、ピン部５５０が遊技盤１００の上方向に向いている形状としたが、本発明はこれに限定されることなく、ピン部５５０が遊技盤１００の側方向（つまり水平方向）に向いている形状とすることができる。
【００８２】
この場合のブラケット部５００ａの構成（構造）を、図１９および図２０に示す。このブラケット部５００ａは、図１７および図１８に示したブラケット部５００の構成において、ピン部５５０を削除し、ピン部５５０ａを追加した構成になっている。なお、同図において、図１７および図１８に示した構成要素と同様の機能を果たす部分には同一の符号を付している。
【００８３】
ピン部５５０ａは、図１９および図２０に示すように、ブラケット５１０の部位５１０ｄの所定の位置に、水平方向に凸部が形成されている。
【００８４】
この場合、本体枠３ａに設けられる係合部例えば係合部２１０，２２０は、ブラケット５００ａのピン部５５０ａと係合する形状を有している必要がある。
【００８５】
次に、遊技盤１００に設けられている係合部１３０，１４０の詳細な構成（構造）について、図２１を参照して説明するとともに、本体枠３ａに設けられる係合部２３０，２４０の詳細な構成（構造）について、図２２〜図２８を参照して説明する。
【００８６】
まず、図２１に示すように、係合部１３０は、所定幅のドーナツ形でその約１／２の形状を有しており、その中央部には、所定の高さの位置に凹部１３１が形成されている。また、その約１／２のドーナツ形状の両端部から中央部（の凹部１３１）までは、上り勾配の傾斜を有する形状になっている。なお、この実施の形態では、係合部１３０は、独立してポリアミド系樹脂で形成され、遊技盤１００に取り付けられている。
【００８７】
ここで、遊技盤１００の表面１０１と裏面１０２との距離（厚さ）は「ｔ」であるものとする。
【００８８】
係合部１４０も、係合部１３０と同様の構造になっているので、ここではその説明は省略する。
【００８９】
次に、係合部２３０の構成（構造）について、図２２〜図２８を参照して説明する。
【００９０】
係合部２３０は、図２２に示すように、可動部材３００およびベース部４００を備えている。
【００９１】
可動部材３００は、ポリアリレート（ＰＡＲ）系樹脂で形成され、操作者によって可動（摺動）操作される可動操作部３０１、後述するベース部４００の軸受部に沿って摺動する可動軸部３０２、および円形の台座３０３を有している。
【００９２】
ここで、本実施の形態において、可動部材３００をポリアリレート系樹脂で形成するようにしているのは、以下の理由からである。
（１）バネ回復性（弾性特性）に非常に優れていること。
（２）許容歪み率が高く、バネとして使用可能な範囲が広くできること。
（３）クリープ特性にも優れており、バネとしての性能を長時間保持できること。
【００９３】
すなわち、ポリアリレート（ＰＡＲ）系樹脂は、他のエンジニアリングプラスチックと比較して、弾性的に優れている。
【００９４】
なお、本願発明者は、十分な撓みと適度なすべりを必要とされる係合部材つまり可動部材としては、それ自身がバネ回復性（弾性特性）に優れていれば良いことに着目した。そこで、本実施の形態では、可動部材をバネ回復特性（弾性特性）に優れているポリアリレート系樹脂で形成するようにしている。
【００９５】
この実施の形態では、添加物が含有されていないポリアリレート系樹脂（ポリアリレート系樹脂１００％）を使用して可動部材を形成するようにしているが、本発明はこれに限定されることなく、ポリアリレート系樹脂に添加物例えばフッ素を含有させて可動部材を形成するようにしても良い。
【００９６】
図２２に示す可動部材３００を時計方向に１８０度回転させた場合の可動操作部３０１の様子を、点線矢印で示される位置に描いている。可動操作部３０１には、本体枠３ａとの間で遊技盤１００を圧接支持する圧接部３１０と凸部３２０とが形成されている。
【００９７】
図２３に示すように、この可動部材３００（図２３では可動操作部３０１のみを図示）は、ベース部４００によって摺動可能に支持された状態で、圧接部３１０が遊技盤１００を圧接支持する支持位置Ｐ１と遊技盤１００を取り外し可能にする退避位置Ｐ２とに移動する。
【００９８】
なお、この実施の形態においては、遊技盤１００の凹部１３１の中心部の位置を支持位置Ｐ１と定義するとともに、ベース部４００の凹部４２０の中心部の位置を退避位置Ｐ２と定義する。また、可動部材３００の凸部３２０の先端部３２０Ｐが支持位置Ｐ１に到達しているときは、遊技盤１００は圧接支持状態であると定義し、凸部３２０の先端部３２０Ｐが退避位置Ｐ２に到達しているときは、遊技盤１００は取り外し可能状態であると定義する。
【００９９】
ベース部４００は、本体枠３ａに取り付けられ、可動部材３００を支持位置Ｐ１と退避位置Ｐ２との間で摺動可能に支持するものである。ここで、可動部材３００の支持位置Ｐ１から退避位置Ｐ２への摺動は、可動操作部３０１を半時計方向に回転させることで行われ、一方、可動部材３００の退避位置Ｐ２から支持位置Ｐ１への摺動は、可動操作部３０１を時計方向に回転させることで行われる。
【０１００】
ベース部４００は、ポリアセタール系樹脂で形成され、図２２および図２３に示すように、上記圧接部３１０および凸部３２０を支持する支持部４０１、上記可動軸部３０２を摺動可能に支持する軸受部４０２、遊技盤１００の裏面１０２と接し、この遊技盤１００を支持する遊技盤支持部４０３、および上記台座３０３を収容する収容部４０４を有している。このベース部４００には、可動部材３００の可動軸部３０２および台座３０３を受け入れるための開口部４０５が形成されている。
【０１０１】
支持部４０１には、案内部４１０と凹部４２０とが形成されている。案内部４１０は、図２２〜図２４に示すように、圧接部３１０の底面部３１１と接する部位４１１と、凸部３２０の底面部３２１と接する部位４１２とを有している。
【０１０２】
遊技盤支持部４０３の上端面に遊技盤１００の裏面１０２が載置される。そして、遊技盤支持部４０３の上端面と軸受部４０２（図２２参照）の上端面との間に遊技盤１００が存在するようになる。すなわち、図２３に示すように、前記２つの上端面間は、遊技盤１００の厚さｔと同等の距離になるように設定されている。
【０１０３】
上述した可動部材３００の可動軸部３０２をベース部４００の軸受部４０２に摺動可能に装着し、かつ退避位置状態の係合部２３０を正面から見た様子を図２５に示し、その退避位置状態の係合部２３０を背面から見た様子を図２６に示し、さらに、その退避位置状態の係合部２３０を上面から見た様子を図２７に示す。
【０１０４】
この実施の形態では、上述した係合部２３０は、退避位置Ｐ２において可動部材３００の摺動を規制する第１の規制部６００を備えている。第１の規制部６００は、図２６に示すように可動部材３００に形成された凸部３２０と、ベース部４００に形成された凹部４２０とが、弾性的に嵌合する構造になっている。
【０１０５】
ここでは第１の規制部６００は、可動部材３００に凸部を形成し、ベース部４００に凹部を形成する構成としたが、本発明はこれに限定されることなく、可動部材３００に凹部を形成し、ベース部４００に凸部を形成するようにしても良い。すなわち、第１の規制部６００は、可動部材３００およびベース部４００の何れか一方に形成された凸部と、他方に形成された凹部とが、弾性的に嵌合する構造であればよい。
【０１０６】
また、この実施の形態では、上述した係合部２３０は、係合部１３０と協働して、支持位置Ｐ１において可動部材３００の摺動を規制する第２の規制部７００を備えている。第２の規制部７００は、図２８に示すように、可動部材３００に形成された凸部３２０と、遊技盤１００に取り付けられた係合部１３０に形成された凹部１３１とが、弾性的に嵌合する構造になっている。
【０１０７】
ここでは第２の規制部７００は、可動部材３００に凸部を形成し、遊技盤１００の係合部１３０に凹部を形成する構成としたが、本発明はこれに限定されることなく、可動部材３００に凹部を形成し、一方、遊技盤１００の係合部１３０に凸部を形成するようにしても良い。すなわち、第２の規制部７００は、可動部材３００および遊技盤１００（の係合部１３０）の何れか一方に形成された凸部と、他方に形成された凹部とが、弾性的に嵌合する構造であればよい。
【０１０８】
ポリアセタール系樹脂で形成されたベース部４００は、図２８に示すように、ベース部４００の遊技盤支持部４０３に遊技盤１００が載置され、可動部材３００が支持位置Ｐ１に位置するように摺動されたときは、可動部材３００の圧接部３１０との間で遊技盤１００を狭持するようになっている。
【０１０９】
以上説明したように、この実施の形態では、可動部材３００をバネ回復特性（弾性特性）に優れているポリアリレート系樹脂で形成するようにしているので、当該可動部材３００に十分な撓みと適度なすべりを持たせることができる。これにより、本体枠３ａとの間で遊技盤１００を圧接支持する可動部材３００の摺動をスムーズに行うことができ、遊技盤取付の作業性を向上させることができる。
【０１１０】
また、第１の規制部６００は、可動部材３００およびベース部４００の何れか一方に形成された凸部と、他方に形成された凹部とが、弾性的に嵌合する構造としているので、第１の規制部６００によって、退避位置Ｐ２で遊技盤１００の取り付けに邪魔にならないように可動部材３００の移動が規制されるとともに、退避位置Ｐ２から支持位置Ｐ１への可動部材３００の摺動においても、バネ回復性（弾性特性）に非常に優れているポリアリレート系樹脂で形成した可動部材３００は十分な撓みを有するので、第１の規制部６００の凸部と凹部との嵌合を容易に解除できるため、より一層、遊技盤取付の作業性を向上させることができる。
【０１１１】
さらに、第２の規制部７００は、可動部材３００および遊技盤１００の何れか一方に形成された凸部と、他方に形成された凹部とが、弾性的に嵌合する構造としているので、第２の規制部７００によって、支持位置Ｐ１で遊技盤１００の取付状態を強固に維持できるように可動部材３００の移動が規制されるとともに、支持位置Ｐ１から退避位置Ｐ２への可動部材３００の摺動においても、バネ回復性（弾性特性）に非常に優れているポリアリレート樹脂で形成した可動部材３００は十分な撓みを有するので、第２の規制部７００の凸部と凹部との嵌合を容易に解除できるため、より一層、遊技盤取付の作業性を向上させることができる。
【０１１２】
さらに、第２の規制部７００の一部、例えば係合部１３０は、独立してポリアミド系樹脂で形成され、遊技盤１００に取り付けられているので、遊技盤１００に設けられた第２の規制部７００の一部に適度なすべりと剛性、耐磨耗性を持たせることができるとともに、適度な撓み剛性を持たせることができるので、遊技盤１００への第２の規制部７００の取付の自由度を増すことができる。
【０１１３】
さらに、ベース部４００は、ポリアセタール系樹脂で形成され、可動部材３００の圧接部３１０との間で遊技盤１００を狭持するようにしているので、ベース部４００に十分な剛性と耐摩耗性、および適度なすべりを持たせることができる。これにより、ベース部４００に関し安定度の高い構造を簡素にできるとともに、繰り返しの遊技盤取付作業によるベース部４００の破損を抑制することができる。
【産業上の利用可能性】
【０１１４】
以上の説明においては、本発明をパチンコ遊技機本体が遊技台に取り付けられた遊技機に適用した場合が説明されているが、本発明はこれに限定されるものではなく、パチスロ遊技機（スロットマシン）、雀球、スマートボールあるいはゲームセンターに設置された各種のゲーム機など、種々の遊技機に適用することが可能である。
【図面の簡単な説明】
【０１１５】
【図１】本発明の一実施の形態である遊技機を示す斜視図である。
【図２】本実施の形態に係る遊技盤を示す正面図である。
【図３】図２に示した遊技盤を示す斜視図である。
【図４】図１に示した遊技機における係合部の取付状態を示す図である。
【図５】本体枠の上部左側に取り付けられる係合部の取付状態を示す斜視図である。
【図６】本体枠の下部左側に取り付けられる係合部の取付状態を示す斜視図である。
【図７】本体枠の上部右側に取り付けられる係合部の取付状態を示す斜視図である。
【図８】本体枠の下部右側に取り付けられる係合部の取付状態を示す斜視図である。
【図９】遊技盤の左上隅に取り付けられるブラケット部の一例を説明する斜視図である。
【図１０】遊技盤の左上隅に取り付けられるブラケット部の一例を説明する斜視図である。
【図１１】遊技盤の左上隅に取り付けられるブラケット部の一例を説明する斜視図である。
【図１２】遊技盤の左上隅に取り付けられるブラケット部の他の例を説明する斜視図である。
【図１３】遊技盤の左下隅に取り付けられるブラケット部の一例を説明する斜視図である。
【図１４】遊技盤の左下隅に取り付けられるブラケット部の一例を説明する斜視図である。
【図１５】遊技盤の左下隅に取り付けられるブラケット部の一例を説明する斜視図である。
【図１６】遊技盤の左下隅に取り付けられるブラケット部の他の例説明する斜視図である。
【図１７】本実施の形態に関わるブラケット部の更に他の例を示す斜視図である。
【図１８】本実施の形態に関わるブラケット部の更に他の例を示す斜視図である。
【図１９】本実施の形態に関わるブラケット部の更に他の例を示す斜視図である。
【図２０】本実施の形態に関わるブラケット部の更に他の例を示す斜視図である。
【図２１】実施の形態に関わる遊技盤の係合部を示す斜視図である。
【図２２】本実施の形態に関わる本体枠の係合部の詳細な構成を説明する斜視図である。
【図２３】本実施の形態に関わる本体枠の係合部を説明する斜視図である。
【図２４】本実施の形態に関わる本体枠の係合部のベース部を説明する斜視図である。
【図２５】退避状態の係合部の正面を示す斜視図である。
【図２６】退避状態の係合部の背面を示す斜視図である。
【図２７】退避状態の係合部の上面を示す上面図である。
【図２８】本実施の形態に関わる本体枠の係合部を説明する斜視図である。
【符号の説明】
【０１１６】
１  遊技機
３  遊技機本体
３ａ  本体枠
３ｂ  木枠
４  ガラス扉
５  皿ユニット
１００  遊技盤
１０１  遊技盤の表面
１０２  遊技盤の裏面
１０３ａ，１０３ｂ  貫通孔
１０４  ブラケット収容凹部
１０５  遊技盤の上端面
１０６  遊技盤の下端面
１０６  遊技盤の側端面
１１０，１２０，５００，５００ａ  係合部（ブラケット部）
１３０，１４０  係合部
１１１，１２１  第１のブラケット
１１２，１２２  第２のブラケット
１１３，１１４，１２３，１２４  軸部
１１３ａ１１４ａ，１２３ａ，１２４ａ  ネジ部
１１７，１２７、５５０，５５０ａ  ピン部
１１５ａ，１１５ｂ，１２５ａ，１２５ｂ  挿通孔
１１６ａ，１１６ｂ，１２６ａ，１２６ｂ  圧接部材
１１８ａ，１１８ｂ，１１９  孔  
２１０，２２０，２３０，２４０  係合部
３００  可動部材
３０１  可動操作部
３０２  可動軸部
３０３  台座
３１０  圧接部
３２０  凸部
４００  ベース部
４０１  支持部
４０２  軸受部
４０３  遊技盤支持部
４０４  収容部
４１０  案内部
４２０  凸部
５２１，５２２  軸部
５２１ａ，５２２ａ  ネジ部
５２１ｂ，５２２ｂ  圧接部
５３１ａ，５３２ａ  挿通孔
５４０  螺合部
６００  第１の規制部
７００  第２の規制部
Ｐ１  支持位置
Ｐ２  退避位置
【図１】
2006204685.tif 000003
【図２】
2006204685.tif 000004
【図３】
2006204685.tif 000005
【図４】
2006204685.tif 000006
【図５】
2006204685.tif 000007
【図６】
2006204685.tif 000008
【図７】
2006204685.tif 000009
【図８】
2006204685.tif 000010
【図９】
2006204685.tif 000011
【図１０】
2006204685.tif 000012
【図１１】
2006204685.tif 000013
【図１２】
2006204685.tif 000014
【図１３】
2006204685.tif 000015
【図１４】
2006204685.tif 000016
【図１５】
2006204685.tif 000017
【図１６】
2006204685.tif 000018
【図１７】
2006204685.tif 000019
【図１８】
2006204685.tif 000020
【図１９】
2006204685.tif 000021
【図２０】
2006204685.tif 000022
【図２１】
2006204685.tif 000023
【図２２】
2006204685.tif 000024
【図２３】
2006204685.tif 000025
【図２４】
2006204685.tif 000026
【図２５】
2006204685.tif 000027
【図２６】
2006204685.tif 000028
【図２７】
2006204685.tif 000029
【図２８】
2006204685.tif 000030